(57)【特許請求の範囲】
【請求項１】
外枠と内部装置から構成されるポケットティッシュ収納ケースであって、
前記外枠は、上部開口面が下部開口面より小さい中空材で、
内側下部に一対の内部に突出した接合用つめを有し、
上部に、該ポケットティッシュの側面を覗く確認用溝を設け、
前記内部装置は、支柱とポケットティッシュ押し上げ台で構成し中央に前記支柱を設け、
前記支柱は、底面中央部にねじ穴を有し、
下部に前記外枠の接合用つめの上に乗せて接合できる長さを持つ左右水平に伸びた接合用バーを有し、
上部から下部の前記接合用バーにかけて外側に、前記支柱の上面を超え前記ポケットティッシュ押し上げ台の底面を押し上げる長さのコイルばねを備え、
上部は中空で、その中空部に、
凸型状で上段中央部が丸みを帯びその周囲が凹状で前記外枠上面に収まる大きさで、下段上部も丸みを帯び直径が前記外枠上面より大きい形状で、底面中央部にねじ穴を有し、前記ねじ穴と、ねじ棒上部のねじ部を螺合した前記ポケットティッシュ押し上げ台、その上に該ポケットティッシュの取り出し口を上にして載せた前記ポケットティッシュ押し上げ台の前記ねじ棒下部を挿入し、
更にその上から前記外枠を、その上部開口面を上にして該ポケットティッシュの側面を確用溝で目視できるように装着し、
前記コイルばねの反発力により、該ポケットティッシュのペーパーが容易に取り出せるように、前記外枠の接合用つめの上に前記支柱の接合用バーが乗り接合するように前記外枠上部より圧力を加え、左右どちらかにひねり前記外枠と内部装置を装着した構成を特徴とする収納ケース。
【請求項２】
請求項１に記載の収納ケース内の支柱の底面中央部に設けられたねじ穴と吸盤の頭部ねじ部が螺合された前記収納ケースを、設置場所に固着させることを特徴とする収納ケース。
【発明の詳細な説明】
【技術分野】
【０００１】  本発明は、フィルムで包装されたポケットティッシュ（以下、ポケットティッシュと記載する）の残量がわかるポケットティッシュ収納ケース（以下、収納ケースと記載する）に関する。
【背景技術】
【０００２】  家庭で使用されているティッシュペーパーは、詰め替え用もあるが、一般に内部の見えない紙箱内に収納されているため残量が不明であった。
ただ、残量が少なくなるとティッシュペーパーに知らせのマークが表示されるものがあるが、その後の残量はわからない。【０００３】  ティッシュペーパーは、紙箱内に平面的に収納されているため、置き場所にはその面積を要する。そのため、机上の使用面積が狭くなる。【０００４】  ティッシュペーパーボックスは、紙箱のためティッシュペーパーの残量が少なくなると取り出す際に紙箱自体も一緒に持ち上がってしまうことがあり、取り出しが容易でない事がある。【０００５】  一方ポケットティッシュは、主に携帯用であるので一般のティッシュペーパーボックスのような据置型はなかった。【０００６】  近時ポケットティッシュは、広告宣伝用として無料配布されているものも多くある。【０００７】  ティッシュペーパーの残量がわかり、最後の一枚のティッシュペーパーまで、容易に取り出せるコンパクトで機能性と利便性を有する据置型の収納ケースがなかった。
【先行技術文献】
【特許文献】
【０００８】
【特許文献１】特開２０１１−１８４０６８号公報
【特許文献２】特開２００４−３３１２１４号公報
【特許文献３】特開２００２−３０８３５２号公報
【特許文献４】特開２００２−３１６５８７号公報
【発明の概要】
【発明が解決しようとする課題】
【０００９】  これは、以下のような問題がある。
（１）ティッシュペーパーは、一般に内部が見えない紙箱内に収納されているので、最後の一枚を使った時点で無いことがわかる。【００１０】  （２）ティッシュペーパーは、長方形に折り畳んだ状態で紙箱内に収納されているため、その長方形の面積が置き場所として必要である。【００１１】  （３）市販のティッシュペーパーボックスの材質は紙のため、ティッシュペーパーの残量が少なくなるとティッシュペーパーボックスに安定性が無くなり、片手での取り出しが困難な時がある。【００１２】  （４）ティッシュペーパーボックスは、箱型のため形状が限定している。【００１３】  （５）ポケットティッシュは、主に携帯用であり据置型の収納ボックスがなかった。【００１４】  （６）近時ポケットティッシュは、広告宣伝用として多く無料配布されているが、それを有効に利用できる、コンパクトで機能的な据置型収納ケースがなかった。
本発明は、以上のような問題を解消するために考えられたことである。
【課題を解決するための手段】
【００１５】  本発明は、以下の構成により前述の課題を解決できる。
本収納ケースは、外枠と、その内部に収容するポケットティッシュと内部装置から構成され、【００１６】  （１）コンパクトな収納ケースとするために前記外枠１は、開口部の上部面を下部面より小さくした中空材としたことにより、該ポケットティッシュ１１を、ほぼ逆Ｕ字型に曲げて当該ケース内に収容することを特徴とする収納ケース。【００１７】  （２）前記外枠１は、内部装置と接合させるため内側下部に、内部に突出した一対の接合用つめ７を有すことを特徴とする収納ケース。【００１８】  （３）前記外枠１は、上部開口面から下部方向に確認用溝２を設けたことで、該ポケットティッシュ１１の側面を覗く事ができその残量が確認できることを特徴とする収納ケース。【００１９】  （４）前記内部装置は、中央に支柱８を設け、
前記支柱８は上部が中空の円柱でその中空部には、本収納ケース内に装着するポケットティッシュを押し上げる台に取り付けるためのねじ棒４の上部ねじ部と、ポケットティッシュ押し上げ台３の底面中央部のねじ穴とを螺合し、そのねじ棒４の下部が収まり上下できるスペースを有することを特徴とする収納ケース。【００２０】  （５）そして、前記支柱８の下部には、前記接合用つめ７の上に乗り接合できる長さを持つ左右水平に伸びた接合用バー６を有し、さらにその底面中央部にねじ穴を有すことを特徴とする収納ケース。【００２１】  （６）ポケットティッシュ押し上げ台３は凸型状で、上段は中央部が丸みを帯びその周囲が凹状を有し、大きさは前記外枠１の上面開口部より小さく、下段上面は丸みを帯び前記外枠１の上面開口部より大きい形状を有し、底面中央部にねじ穴を有す。前述のポケットティッシュ押し上げ台３の形状により該ティッシュペーパーの取り出しが容易になることを特徴とした収納ケース。【００２２】  （７）コイルばね５は、内径が前記支柱８に収まる幅を有し、長さは、前記接合用バー６から前記支柱８の上面を超える長さを有するため、前記ポケットティッシュ押し上げ台３は、前記コイルばね５により前記支柱８を中心に上下でき、本収納ケース内に収納する該ポケットティッシュを容易に取り出すことができることを特徴とした収納ケース。【００２３】  （８）前記支柱８の底面中央部のねじ穴と吸盤９の頭部ねじ部との螺合により、当該収納ケースを設置場所に固着できる。そのため、収納ケースが小型であっても、安定性を有し該ティッシュペーパーの取り出しが容易となることを特徴とした収納ケース。【００２４】  （９）前記収納ケースは、ポケットティッシュのサイズが多少異なっても、市販のポケットティッシュに限定されず、広告宣伝用に配布されたポケットティッシュにも対応できることを特徴とした収納ケース。
【発明の効果】
【００２５】  このように、本発明は以下の効果を得る。
（１）前記外枠１に、該ポケットティッシュ１１の側面を覗く事ができる確認用溝２を設けているため、そのペーパーが無くなる前に補充ができる。【００２６】（２）一般に市販の家庭用ティッシュペーパー収納ボックスの底面積は、およそ２６０ｃｍ２以上であるが、本発明の場合は、該ポケットティッシュ１１を、ほぼ逆Ｕ字型に折り曲げて前記外枠１内に収容することにより、その底面積は、小型化した場合およそ５０ｃｍ２から７０ｃｍ２程度となる。従って、本発明の収納ケースの底面積は、家庭用ティッシュペーパー収納ボックスに比べ、およそ１／３から１／５程度となるため、その使用面積は僅かなスペースで済む。【００２７】  （３）前記ポケットティッシュ押し上げ台３の形状と、コイルばね５の構成により、前記収納ケース内の該ポケットティッシュ１１が複数であっても該ティッシュペーパーの取り出しが容易になる。【００２８】  （４）本発明の内部装置の構成を利用した外枠の開口面が下部より上部が小さい中空材であれば、角錐台や卵型等に変更が可能であるため、レストランなど料理飲食店で使用されるナプキンの収納ケースの代用として、デザイン性のある収納ケースをテーブルに配置することも考えられる。【００２９】  （５）前記支柱８の最下部に設ける吸盤９により、前記収納ケースを設置場所に固着できるため、該収納ケースが小型であってもケース本体が安定するので、該ティッシュペーパーをスムーズに取り出せる。【００３０】  （６）本発明は、市販のポケットティッシュに限らず、多少形状の異なる広告宣伝用のポケットティッシュも収納でき、コンパクトでデザイン性を有した据置型の収納ケースであるので、個人用、家庭用、仕事用と利用範囲が広がり利便性がある。
【図面の簡単な説明】
【００３１】
【図１】本発明の斜視図である。
【図２】本発明の図１における実施形態を示したＡ−Ａ´の概略断面図である。
【図３】本発明の支柱の斜視図である。
【図４】本発明の外枠形状の変更参考図である。
【図５】本発明の外枠形状の変更参考図である。
【発明を実施するための形態】
【００３２】  以下に、本発明を実施するための形態について図１〜図３に基づいて説明する。
【００３３】  本収納ケースは、外枠１とその内部に収容するポケットティッシュ１１と、内部装置より構成される。
【００３４】  図１において１は、前記収納ケースの外枠で、上部開口面が下部開口面より小さい形状の中空材である。当該形状は、該ポケットティッシュ１１をコンパクトに本収納ケース内に収容できるようにしたためである。
【００３５】  また前記外枠１は、図１に示すように前記内部装置と接合させるための、内側下部に内部に突出した一対の接合用つめ７を有する。
【００３６】  さらに図１に示すように確認用溝２は、前記外枠１の上部面より下部方向に、前記収納ケース内に収容する該ポケットティッシュ１１の側面が覗けるように、幅は数ミリ、長さは、該ポケットティッシュ１１の側面が目視できる長さを有する。
【００３７】  以下、前記内部装置の構成について説明する。
前記内部装置は、図２に示すように中央に支柱８を設ける。
【００３８】  図３に示すように、前記支柱８は、上部に中空部を設け下部に左右水平の接合用バー６を有し底面中央部にねじ穴を有している。
図２に示すように、前記支柱８の底面中央部に有するねじ穴と吸盤９の頭部ねじ部とを螺合する。
次に、図２に示すように支柱８の上部からコイルばね５を挿入する。
そして前記コイルばね５の上から、ポケットティッシュ押し上げ台３の底面中央部のねじ穴と、ねじ棒４上部のねじ部とを螺合した、そのねじ棒下部を、前記支柱８の上部中空部に装着する。
【００３９】  図２に示すように、前述で構成された前記ポケットティッシュ押し上げ台３の上部中央に、該ポケットティッシュの取り出し口を上に装着する。
【００４０】  前述の該ポケットティッシュを装着した内部装置に、前記外枠１の確認用溝２から該ポケットティッシュの側面が覗けるように前記外枠１を上部から被せ、図２に示すように前記接合用バー６を前記接合用つめ７の上に乗せ接合させる。
【００４１】  前記で一体化した、本収納ケースの底面に設けられた吸盤９を用いて、設置場所に固着し前記収納ケース上部取り出し口１０より容易に、該ティッシュペーパーを取り出すことができる。
【００４２】  なお、本発明の内部装置を用いて、外枠の形状が該ポケットティッシュを収納でき、該ティッシュペーパーを取り出せる開口部を有し、上部開口面が下部開口面より小さい中空材であれば、角錐台や卵型などにデザインを変更でき、同様にペーパーのサイズが違っても同じ効果が得られる。
また、材質は一般に合成樹脂が考えられるが、外枠においては金属製や木製であっても同様の効果が得られる。
【符号の説明】
【０００４３】１  外枠
２  確認用溝
３  ポケットティッシュ押し上げ台
４  ねじ棒
５  コイルばね
６  接合用バー
７  接合用つめ
８  支柱
９  吸盤
１０  取り出し口
１１  ポケットティッシュ
【要約】      （修正有）【課題】従来、市販のティッシュペーパーは、一般に紙箱内に収納されているためティッシュペーパーの残量の把握が困難である上、長方形に畳んで収納されているため収納ケースの置場は、その面積を必要とする。また、ティッシュペーパーボックスは箱型で形状が限定されていた。【解決手段】ポケットティッシュの残量が判るように確認用溝２を設けた。ポケットティッシュ装着台３の上部が丸みを帯びた凸型状とし、コイルばね５を用いてティッシュペーパー１１の取り出しを容易にした。外枠１を、上下の開口面に差をもたせた中空材にしたことにより、小型化と形状変更を可能とさせた。そして収納ケース本体に、吸盤９を施すことにより安定性を持たせた。よって、コンパクトで機能的な、据置型収納ケースを提供できる。【選択図】図２【図１】
0005435677.tif 000002
【図２】
0005435677.tif 000003
【図３】
0005435677.tif 000004
【図４】
0005435677.tif 000005
【図５】
0005435677.tif 000006